(57)【特許請求の範囲】
【請求項１】
肛門から腸内に挿入できる長細い形状の挿入部材の前方部分に流体の注入・排出によって膨縮する膨縮部を設け、かつ膨縮部の膨張時の形状が腸内の便を掻き出せる寸法形状とし、しかも膨縮部の膨張した形状の中央が挿入部材に対して偏心した位置となる形状にし、前記膨縮部への流体の送出・排出を行う流体制御装置を設け、腸内で膨張させた膨縮部を肛門の方へ引き寄せることで強制的に便を排出できるようにした手技式排便装置。
【請求項２】
挿入部材の内部に前後に長く流体通路を設け、前記挿入部材の前方部分で前記流体通路が外部に開口する開口部を設け、同開口部から流体が注入・排出できるよう膨縮自在な弾性部材が前記開口部を外側から覆うように取り付けて膨縮部とした請求項１記載の手技式排便装置。
【請求項３】
膨縮部が、袋状の弾性膜で挿入部材の先端部外周及び流体通路の開口部を覆うように脱着自在に設けた構造にした請求項２記載の手技式排便装置。
【請求項４】
膨縮部が、筒状の弾性膜で挿入部材の一部の外周及び流体通路の開口部を覆うように脱着自在に設けた構造にした請求項２記載の手技式排便装置。
【請求項５】
挿入部材の前後の複数箇所に膨縮部を設けるようにした請求項１，２，４記載の手技式排便装置。
【請求項６】
挿入部材の後方部分に把手を設けた請求項１〜５いずれかに記載の手技式排便装置。
【請求項７】
挿入部材の先端部がコーン形状でかつその先端が丸みのある形状のものである請求項１〜６いずれかに記載の手技式排便装置。
【発明の詳細な説明】
【０００１】
【発明の属する技術分野】
本発明は、排便力が弱った老人・患者，体が動かせない老人・患者の排出できない腸内の便、排便できないで直腸に詰まった便・宿便等を手操作で強制的に排出するための手技式排便装置に関する。
【０００２】
【従来の技術】
従来の手技式排便装置では、掻手部分等の便を排出するよう保持する部分は、肛門への挿入・肛門からの取り出しの際の処置される人の負担、及び肛門を傷つけないこと、並びに腸内で前後に動かして便を排出させる際に腸を傷つけないことなどを考慮して、小さな物にしていた。よって、便を効率よく排出させるのに十分でなかった。
【０００３】
【発明が解決しようとする課題】
本発明が解決しようとする課題は、従来のこれらの問題点を解消し、効率よく便を強制的に排出することができ、処置される人の負担を少なくし、安全に使用することができ、操作が容易でコストを抑制した手技式排便装置を提供することにある。
【０００４】
【課題を解決するための手段】
かかる課題を解決した本発明の構成は、
１）  肛門から腸内に挿入できる長細い形状の挿入部材の前方部分に流体の注入・排出によって膨縮する膨縮部を設け、かつ膨縮部の膨張時の形状が腸内の便を掻き出せる寸法形状とし、しかも膨縮部の膨張した形状の中央が挿入部材に対して偏心した位置となる形状にし、前記膨縮部への流体の送出・排出を行う流体制御装置を設け、腸内で膨張させた膨縮部を肛門の方へ引き寄せることで強制的に便を排出できるようにした手技式排便装置
２）  挿入部材の内部に前後に長く流体通路を設け、前記挿入部材の前方部分で前記流体通路が外部に開口する開口部を設け、同開口部から流体が注入・排出できるよう膨縮自在な弾性部材が前記開口部を外側から覆うように取り付けて膨縮部とした前記１）記載の手技式排便装置
３）  膨縮部が、袋状の弾性膜で挿入部材の先端部外周及び流体通路の開口部を覆うように脱着自在に設けた構造にした前記２）記載の手技式排便装置
４）  膨縮部が、筒状の弾性膜で挿入部材の一部の外周及び流体通路の開口部を覆うように脱着自在に設けた構造にした前記２）記載の手技式排便装置
５）  挿入部材の前後の複数箇所に膨縮部を設けるようにした前記１），２），４）記載の手技式排便装置
６）  挿入部材の後方部分に把手を設けた前記１）〜５）いずれかに記載の手技式排便装置
７）  挿入部材の先端部がコーン形状でかつその先端が丸みのある形状のものである前記１）〜６）いずれかに記載の手技式排便装置
にある。
【０００５】
【作用】
本発明では、膨縮部を収縮させた状態で挿入部材を先端から肛門に挿入する。適度な位置まで挿入部材を腸内に挿入したならば、流体制御装置によって膨縮部に流体を注入し膨縮部を膨張させる。次に挿入部材を手操作で前後に動かすようにして膨縮部で保持した便を排出する。膨縮部が膨縮できる物であることによって固体物に比べて弾性が大きくなり腸に触れても傷つけないようにし、膨張した膨縮部によって一度に大きく便を排出させる。その後、腸内から挿入部材を取り出す際には流体を排出して膨縮部を収縮させるようにする。膨縮部を収縮させることにより、スムーズに腸内への挿入・取り出しが行える。
挿入部材の内部に流体通路を設けるようにしたものは、肛門や腸内の便によって流体通路の途中が潰れて流体が流れにくくならないようにする。
膨縮部が袋状の弾性膜を取り付けた構造にしたものと膨縮部が筒状の弾性膜を取り付けた構造にしたものは、弾性膜で覆った流体通路の開口部から弾性膜の内側に流体を送ることで弾性膜を膨張させるようにし、また弾性膜を脱着自在にすることで交換できるようにする。
挿入部材の前後の複数箇所に膨縮部を設けるようにしたものは、複数箇所で便を保持するようにして強く便が保持できるようにする。また、腸内の便に挿入部材を差し込むように用いた際にも便を複数箇所で保持して十分に便が保持できるようにする。
膨縮部が傘形状に膨張する構造にしたものは、便を排出する方向に強い強度を有する形状にして強く便を保持できるようにする。
膨縮部の膨張した形状の中央が挿入部材に対して偏心した位置となる形状にしているので、腸内の便と腸の間に挿入棒を位置させるように用いる場合にも膨縮部の膨張した形状の中央が挿入部材に対して偏心した位置となるようにして、便を広い面積で保持できるようにする。
挿入部材の後方部分に把手を設けたものは、把手を人が持って操作できるようにする。
挿入部材の先端部がコーン形状でかつその先端を丸みのある形状にしたものは、コーン形状にすることでスムーズに肛門に挿入できるようにし、コーン形状の先端を丸みのある形状にすることで肛門や腸を傷つけないようにする。
【０００６】
【発明の実施の形態】
本発明の手技式排便装置の膨縮部は、膨張した状態で適度な弾性を有するようにして、腸に接触しても腸を傷つけないようにする。膨縮部の弾性は、膨縮部自体の弾性及び膨縮部に注入する流体の圧力や量によって決めればよい。
挿入部材の先端部分は挿入しやすいようにコーン形状や卵形状のような先細り形状にするのが好ましい。
挿入部材の先端部分には腸内の熱や水分で溶ける軟質なキャップを取り付けるようにしてもよい。
挿入部材・膨縮部のように腸内に挿入する部分は人体に無害な材質・硬度・形状にすることが好ましい。  
流体制御装置には、足踏みポンプ、手動ポンプ、電動ポンプなどがあり、正確で操作しやすいものが好ましい。
【０００７】
【実施例】
本発明の理解の為の参考例及び実施例について図面を参照して具体的に説明する。
参考例１（図１〜４参照）
図１〜４に示す参考例１は挿入部材の内部に流体通路を設け、膨縮部が筒状の弾性膜を挿入部材の先端部と取り付け部で取り付けるようにし、膨縮部が傘形状に膨張するようにし、挿入部材の後方部分に把手を設けるようにした手技式排便装置の例である。
図１は参考例１の手技式排便装置の一部拡大断面図である。図２は参考例１の手技式排便装置の説明図である。図３は図１のＡ−Ａ断面図である。図４は参考例１の手技式排便装置を使用している状態を示す説明図である。
図中、１は手技式排便装置、２は挿入部材、２ａは流体通路として用いた空気通路、２ｂは開口部、２ｃは拡径部、２ｄは前方ネジ部、２ｅは後方ネジ部、３は先端部、３ａはネジ部、４は取り付け部、４ａはネジ部、５は膨縮部として用いた弾性膜、６は把手、６ａは膨張スイッチ、６ｂは収縮スイッチ、７は空気チューブ、８は流体制御装置として用いた空気送出・吸引ポンプ、９は信号線、２２は肛門、２３は腸、２４は便、ｈは人である。
【０００８】
参考例１の手技式排便装置１では、図１〜３に示すように棒状の挿入部材２の先端近くに円盤状に拡径した拡径部２ｃを設け、挿入部材２の先端から拡径部２ｃまでの間の外周に前方ネジ部２ｄを設け、拡径部２ｃから後方へ所定の間の外周に後方ネジ部２ｅを設ける。次に挿入部材２の内部に、挿入部材２に沿って後端から拡径部２ｃまで空気通路２ａを設ける。空気通路２ａは図３に示すように先端が分岐して拡径部２ｃの外周端で外部に開放するようにして開口部２ｂを設ける。
次に、後端が拡径部２ｃに近い円形状で先端に向って先細り形状となる略コーン形状の先端部３を設け、先端部３の後端から内部に凹んだネジ部３ａを設ける。
次に、ナット形状の取り付け部４を設ける。取り付け部４の中央には貫通するネジ部４ａを設ける。
次に図１に示すように円筒状の弾性膜５を設ける。弾性膜５の前後端は環状部分を設けて内部との連通穴が縮径した形状になるようにする。
【０００９】
次に挿入部材２の後端近くに脱着自在に把手６を取り付ける。さらに把手６には、膨張スイッチ６ａ，収縮スイッチ６ｂを設ける。
次に挿入部材２の空気通路２ａに空気を送り、空気を吸引する空気送出・吸引ポンプ８と挿入部材２の後端に位置する空気通路２ａの後端を空気チューブ７で接続し、膨張スイッチ６ａ，収縮スイッチ６ｂで空気送出・吸引ポンプ８を操作できるよう信号線９を接続する。
このように本参考例１の手技式排便装置１は簡単な構成にしてコストを抑制している。
【００１０】
参考例１の手技式排便装置１を用いて強制的に排便を行うには、まず、弾性膜５の筒状の内穴に挿入部材２を貫通させるようにして、拡径部２ｃを弾性膜５で覆うようにし、先端部３のネジ部３ａを挿入部材２の先端部３の前方ネジ部２ｄに係合させ、かつ弾性膜５の前端部分を封止するように弾性膜５の前端部分を先端部３の後端と拡径部２ｃの前端で挟み込んで固定するように先端部３を挿入部材２に螺着で取り付ける。
次に、把手６を挿入部材２から取り外した状態で取り付け部４の貫通したネジ部４ａに挿入部材２の後端を貫通させるようにしてネジ部４ａが後方ネジ部２ｅに係合させ、かつ弾性膜５の後端部分を封止するように弾性膜５の後端部分を拡径部２ｃの後端と取り付け部４の前端で挟み込んで固定するように取り付け部４を挿入部材２に螺着で取り付ける。
次に、把手６を挿入部材２の後端近くに取り付ける。
【００１１】
このように準備ができたならば、弾性膜５が収縮した状態であることを確認し、挿入部材２を先端部３から徐々に肛門より腸内に挿入して行く。所定の位置まで挿入したならば、把手６の膨張スイッチ６ａを押して空気送出・吸収ポンプ８が空気を送り出すよう作動させる。空気は、空気チューブ７、空気通路２ａを通って開口部２ｂから弾性膜５の内側に空気を放出する。弾性膜５の上下端部分は封止しているので弾性膜５が傘形状に膨張する。膨張した弾性膜５によって腸内の便は広い面積で保持される。また、傘形状にすることで便２４の排出方向に強度を強くして力を加えやすくする。
空気送出・吸引ポンプ８は、１回の膨張スイッチ６ａで所定量の空気を送り、かつ送った空気が所定圧以下になるようにして、空気が洩れて腸内に流出しても安全な量の範囲内になるようにする。
このようにして弾性膜５を膨張させたならば、把手６を前後に動かすようにして、腸内の便を強制的に掻き出すように排出させる。膨張した弾性膜５により広い面積で便を保持させることにより便を大きく掻き取るようにして効率よく排便が行える。
このように掻き取るように強制的に排便させる際に、膨張した弾性膜５が腸に接触しても弾性膜５自体の弾性と弾性膜５内部の空気の弾性によって、腸を無理に拡げたり、傷つけるようなことがない。よって非常に安全に使用することができる。
このようにして十分に強制的な排便を行ったならば、把手６の収縮スイッチ６ｂを押す。収縮スイッチ６ｂを押すと空気送出・吸引ポンプ８が送った空気を吸引し、弾性膜５を収縮させる。把手６に設けた膨張スイッチ６ａと収縮スイッチ６ｂの操作で弾性膜５の膨張収縮を行うことにより非常に操作が簡単になる。
弾性膜５を収縮させたならば、把手６を引くようにして挿入部材２を肛門から引き出す。このように、弾性膜５を収縮させた状態で肛門への挿入・取り出しを行うことによって、スムーズに挿入・取り出しが行え処置される人の負担が非常に軽減される。
【００１２】
取り出した後には、洗浄等を行って再使用してもよく、先端部３，取り付け部４を挿入部材２から取りはずして弾性膜５を交換するようにしてもよい。
【００１３】
図５に示すのは、参考例１の他の例である。
参考例１の他の例では、把手、膨張スイッチ、収縮スイッチを設けないようにしている。このようにして直接、空気送出・吸引ポンプを操作して用いるようにしてもよい。
【００１４】
参考例２（図６参照）
図６に示す参考例２は、膨縮部が袋状の弾性膜で挿入部材の先端部外周及び流体通路の開口部を覆うように脱着自在に取付けるようにした手技式排便装置の例である。
図６は参考例２の手技式排便装置の一部拡大断面図である。
図中、１１は挿入部材、１１ａは先端部、１１ｂは空気通路、１１ｃは開口部、１１ｄはネジ部、１２は膨縮部として用いた袋状の弾性膜である。
参考例２では図６に示すように挿入部材１１の先端部１１ａを拡径したコーン形状にし、先端部１１ａの後方にネジ部１１ｄを設ける。さらに挿入部材１１の内部に設けた空気通路１１ｂの先端が、分岐し、その先端が先端部１１ａのコーン形状の先端、そのコーン形状の外周で外部に開放する開口部１１ｃを設けるようにし、袋状の弾性膜１２を先端部１１ａに被せ、挿入部材１１のネジ部１１ｄに取り付け部４を螺着して、取り付け部４の前端面と先端部１１ａの後端部で袋状の弾性膜１２の開口端を封止するように挟み込むようにする。このようにして、腸内で前方に向っても弾性膜１２が膨張するようにしてもよい。
また、このように先端部１１ａを弾性膜１２で覆い、次に使用する際に弾性膜１２を交換するようにして、他の部分は洗浄して再利用しても挿入時に肛門に触れる部分は新しい物が使われるようにして、処置される人の負担を軽くするようにしてもよい。
その他符号、構成、作用、使い方は参考例１と同じである。
【００１５】
参考例３（図７参照）
図７に示す参考例３は膨縮部として筒状の弾性膜を挿入部材の先端部外周に固着した手技式排便装置の例である。
図７は参考例３の手技式排便装置の一部拡大断面図である。
図中、１４は挿入部材、１４ａは先端部、１４ｂは空気通路、１４ｃは開口部、１５は膨縮部として用いた筒状の弾性膜である。
参考例３では、拡径した略コーン形状の先端部１４ａを挿入部材１４に設け、挿入部材１４の内部に設けた空気通路１４ｂの先端が分岐し、それぞれの先端が先端部１４ａの外周で外部に開放するようにした開口部１４ｃを設け、開口部１４ｃを覆うように筒状の弾性膜１５を先端部１４ａの外周に固定するよう取り付ける。
このようにして、部品点数の少ない構成にしてさらにコストを抑制するようにしてもよい。
【００１６】
参考例４（図８参照）
図８に示す参考例４は、挿入部材の前後の複数箇所に膨縮部を設けるようにした手技式排便装置の例である。
図８は参考例４の手技式排便装置を使用している状態を示す説明図である。
図中、１７は挿入部材、１７ａは先端部、１８は膨縮部として用いた弾性膜である。
図８に示す参考例４では、挿入部材１７の前後の３箇所に弾性膜１８を設け、図８（ａ），（ｂ）に示すように腸内の便に差し込むようにした後で弾性膜１８を膨張させて便２４を排出するようにしている。
このように便を内側から保持して排出できるようにしてもよい。
その他符号、構成、作用、使い方は参考例１と同じである。
【００１７】
図９に示すのは参考例の手技式排便装置の他の例である。
図中、１９は挿入部材の先端部、２０は膨縮部として用いた鋤形状に膨張する弾性膜、２１は膨縮部として用いた偏心した形状に膨張する弾性膜である。
図９に示す参考例の他の例では弾性膜２０が膨張して鋤形状となるようにする。図１０に示す本発明の実施例では弾性膜２１が偏心した形状に膨張するようにしている。このような形状にすることによって挿入部材を腸壁と便２４の間に挿入するようにして便を掻き出すように排出する際に、掻き出しやすくしてより効率よく便を排出できるようにしてもよい。
【００１８】
【発明の効果】
本発明によれば、膨縮部が偏心した形状であるので、広い面積で便を保持して効率よく便を強制的に排出することができ、処置される人の負担を少なくし、安全に使用することができ、操作が容易でコストを抑制した手技式排便装置にできる。
挿入部材の内部に流体通路を設け、流体通路の開口部が注入・排出させるよう膨縮自在な弾性部材を取り付ける構造にしたものは、確実に弾性部材を膨縮させて、確実に強制的な排便が行える手技式排便装置にできる。
膨縮部が袋状の弾性膜で、挿入部材の先端部外周及び流体通路の開口部を覆うようにしたものと、膨縮部が筒状の弾性膜で、挿入部材の一部の外周及び流体通路の開口部を覆うようにしたものは、再利用しやすく、処置される人の負担をさらに減らすことができる。
挿入部材の前後の複数箇所に膨縮部を設けたものは、さらに効率よく強制的な排便が行えるようにする。
膨縮部が傘形状に膨張するものは、さらに確実に便を保持して効率よく強制的な排便ができる。
挿入部材に把手を設けたものは、さらに容易に操作でき使いやすい手技式排便装置にできる。
挿入部材の先端部がコーン形状でかつその先端が丸みのある形状のものは、さらに処置される人の負担を少なくする手技式排便装置にできる。
【図面の簡単な説明】
【図１】  参考例１の手技式排便装置の一部拡大断面図である。
【図２】  参考例１の手技式排便装置の説明図である。
【図３】  図１のＡ−Ａ断面図である。
【図４】  参考例１の手技式排便装置を使用している状態を示す説明図である。
【図５】  参考例１の手技式排便装置の他の例の説明図である。
【図６】  参考例２の手技式排便装置の一部拡大断面図である。
【図７】  参考例３の手技式排便装置の一部拡大断面図である。
【図８】  参考例４の手技式排便装置を使用している状態を示す説明図である。
【図９】  参考例の手技式排便装置の他の例の説明図である。
【図１０】  実施例の手技式排便装置の他の例の説明図である。
【符号の説明】
１  手技式排便装置
２  挿入部材
２ａ  空気通路
２ｂ  開口部
２ｃ  拡径部
２ｄ  前方ネジ部
２ｅ  後方ネジ部
３  先端部
３ａ  ネジ部
４  取り付け部
４ａ  ネジ部
５  弾性膜
６  把手
６ａ  膨張スイッチ
６ｂ  収縮スイッチ
７  空気チューブ
８  空気送出・吸引ポンプ
９  信号線
１１  挿入部材
１１ａ  先端部
１１ｂ  空気通路
１１ｃ  開口部
１１ｄ  ネジ部
１２  （袋状の）弾性膜
１４  挿入部材
１４ａ  先端部
１４ｂ  空気通路
１４ｃ  開口部
１５  （筒状の）弾性膜
１７  挿入部材
１７ａ  先端部
１８  弾性膜
１９  （挿入部材の）先端部
２０  （鋤形状に膨張した）弾性膜
２１  （偏心した形状に膨張した）弾性膜
２２  肛門
２３  腸
２４  便
ｈ  人
【図１】
0004636516.tif 000002
【図２】
0004636516.tif 000003
【図３】
0004636516.tif 000004
【図４】
0004636516.tif 000005
【図５】
0004636516.tif 000006
【図６】
0004636516.tif 000007
【図７】
0004636516.tif 000008
【図８】
0004636516.tif 000009
【図９】
0004636516.tif 000010
【図１０】
0004636516.tif 000011